【手続補正書】
【提出日】平成19年6月29日(2007.6.29)
【手続補正１】
【補正対象書類名】明細書
【補正対象項目名】特許請求の範囲
【補正方法】変更
【補正の内容】
【特許請求の範囲】
【請求項１】  式（１）：
【化１】
2003505349.tif 000001
〔式中、Ｒ1、Ｒ2、Ｒ3、Ｒ4、Ｒ1′、Ｒ2′、Ｒ3′、Ｒ4′、Ｒ1″、Ｒ2″、Ｒ3″およびＲ4″は、それぞれ、独立に、水素、シアノ、ハロゲン、ＳＯ3Ｍ（Ｍは、水素、アルカリ金属陽イオン、アルカリ土類金属陽イオン、アンモニウムまたは有機アンモニウム陽イオンである）、ＳＯ2ＮＨ2、ＳＯ2ＮＨＲ5、ＳＯ2Ｎ（Ｒ5）2、ＯＲ5またはＣＯＯＲ5であって、Ｒ5は、水素、あるいは直鎖もしくは分岐鎖Ｃ1〜Ｃ4アルキル、ニトロ、直鎖もしくは分岐鎖Ｃ1〜Ｃ8アルキル、直鎖もしくは分岐鎖のフッ素化もしくは過フッ素化Ｃ1〜Ｃ8アルキル、ＮＨＲ6、ＮＲ6Ｒ7、Ｎ+Ｒ6Ｒ7Ｒ10、または直鎖もしくは分岐鎖Ｃ1〜Ｃ8アルキル−Ｒ8であって、Ｒ8は、ＯＲ5、ＣＯＯＲ5、ＮＨ2、ＮＨＲ6、ＮＲ6Ｒ7またはＮ+Ｒ6Ｒ7Ｒ10であり、Ｒ6、Ｒ7およびＲ10は、同一であるか、または異なり、それぞれ、直鎖または分岐鎖Ｃ1〜Ｃ12アルキルであるか、あるいはＲ6およびＲ7は、結合している窒素原子と結合して、ヘテロ原子をさらに含んでもよい五、六または七員環を形成し、Ｒ9、Ｒ9′およびＲ9″は、それぞれ、独立に、水素、直鎖もしくは分岐鎖Ｃ1〜Ｃ8アルキル、またはアリールである〕
で示される三脚状配位子を有する金属錯体の、過酸素化合物による酸化のための触媒としての使用。
【請求項２】  式（２）：
【化２】
2003505349.tif 000002
〔式中、Ｍｅは、ＭｎまたはＦｅであり、Ｒ1、Ｒ1′およびＲ1″は、それぞれ、独立に、水素、Ｃ1〜Ｃ4アルキル、Ｃ1〜Ｃ4アルコキシ、ヒドロキシル、ニトロ、ＮＨＲ6、ＮＲ6Ｒ7または−Ｎ+Ｒ5Ｒ6Ｒ7であって、Ｒ5、Ｒ6およびＲ7は、それぞれ、独立に、Ｃ1〜Ｃ4アルキルである〕
で示される１：１金属（III）錯体の、過酸素化合物による酸化のための触媒としての使用。
【請求項３】  式（１）：
【化４】
2003505349.tif 000003
〔式中、Ｒ1、Ｒ2、Ｒ3、Ｒ4、Ｒ1′、Ｒ2′、Ｒ3′、Ｒ4′、Ｒ1″、Ｒ2″、Ｒ3″およびＲ4″は、それぞれ、独立に、水素、シアノ、ハロゲン、ＳＯ3Ｍ（Ｍは、水素、アルカリ金属陽イオン、アルカリ土類金属陽イオン、アンモニウムまたは有機アンモニウム陽イオンである）、ＳＯ2ＮＨ2、ＳＯ2ＮＨＲ5、ＳＯ2Ｎ（Ｒ5）2、ＯＲ5またはＣＯＯＲ5であって、Ｒ5は、水素、あるいは直鎖もしくは分岐鎖Ｃ1〜Ｃ4アルキル、ニトロ、直鎖もしくは分岐鎖Ｃ1〜Ｃ8アルキル、直鎖もしくは分岐鎖のフッ素化もしくは過フッ素化Ｃ1〜Ｃ8アルキル、ＮＨＲ6、ＮＲ6Ｒ7、Ｎ+Ｒ6Ｒ7Ｒ10、または直鎖もしくは分岐鎖Ｃ1〜Ｃ8アルキル−Ｒ8であって、Ｒ8は、ＯＲ5、ＣＯＯＲ5、ＮＨ2、ＮＨＲ6、ＮＲ6Ｒ7またはＮ+Ｒ6Ｒ7Ｒ10であり、Ｒ6、Ｒ7およびＲ10は、同一であるか、または異なり、それぞれ、直鎖または分岐鎖Ｃ1〜Ｃ12アルキルであるか、あるいはＲ6およびＲ7は、結合している窒素原子と結合して、ヘテロ原子をさらに含んでもよい五、六または七員環を形成し、Ｒ9、Ｒ9′およびＲ9″は、それぞれ、独立に、水素、直鎖もしくは分岐鎖Ｃ1〜Ｃ8アルキル、またはアリールである〕
で示される三脚状配位子を有するマンガン（III）または鉄（III）錯体であって、該マンガン（III）錯体において、置換基Ｒ1、Ｒ2、Ｒ3、Ｒ4、Ｒ1′、Ｒ2′、Ｒ3′、Ｒ4′、Ｒ1″、Ｒ2″、Ｒ3″、Ｒ4″、Ｒ9、Ｒ9′およびＲ9″のうち少なくとも一つが、水素以外の意味を有し、置換基Ｒ1、Ｒ2、Ｒ4、Ｒ1′、Ｒ2′、Ｒ4′、Ｒ1″、Ｒ2″、Ｒ4″、Ｒ9、Ｒ9′およびＲ9″がすべて水素であるときは、置換基Ｒ3、Ｒ3′およびＲ3″のうち少なくとも一つが、塩素以外の意味を有することを条件とする錯体。
【請求項４】  式（１）：
【化５】
2003505349.tif 000004
〔式中、Ｒ1、Ｒ2、Ｒ3、Ｒ4、Ｒ1′、Ｒ2′、Ｒ3′、Ｒ4′、Ｒ1″、Ｒ2″、Ｒ3″およびＲ4″は、それぞれ、独立に、水素、シアノ、ハロゲン、ＳＯ3Ｍ（Ｍは、水素、アルカリ金属陽イオン、アルカリ土類金属陽イオン、アンモニウムまたは有機アンモニウム陽イオンである）、ＳＯ2ＮＨ2、ＳＯ2ＮＨＲ5、ＳＯ2Ｎ（Ｒ5）2、ＯＲ5またはＣＯＯＲ5であって、Ｒ5は、水素、あるいは直鎖もしくは分岐鎖Ｃ1〜Ｃ4アルキル、ニトロ、直鎖もしくは分岐鎖Ｃ1〜Ｃ8アルキル、直鎖もしくは分岐鎖のフッ素化もしくは過フッ素化Ｃ1〜Ｃ8アルキル、ＮＨＲ6、ＮＲ6Ｒ7、Ｎ+Ｒ6Ｒ7Ｒ10、または直鎖もしくは分岐鎖Ｃ1〜Ｃ8アルキル−Ｒ8であって、Ｒ8は、ＯＲ5、ＣＯＯＲ5、ＮＨ2、ＮＨＲ6、ＮＲ6Ｒ7またはＮ+Ｒ6Ｒ7Ｒ10であり、Ｒ6、Ｒ7およびＲ10は、同一であるか、または異なり、それぞれ、直鎖または分岐鎖Ｃ1〜Ｃ12アルキルであり、かつＲ6およびＲ7は、結合している窒素原子と結合して、ヘテロ原子をさらに含んでもよい五、六または七員環を形成するか、あるいはＲ9、Ｒ9′およびＲ9″は、それぞれ、独立に、水素、直鎖もしくは分岐鎖Ｃ1〜Ｃ8アルキル、またはアリールである〕
で示される配位子であって、置換基Ｒ1、Ｒ2、Ｒ3、Ｒ4、Ｒ1′、Ｒ2′、Ｒ3′、Ｒ4′、Ｒ1″、Ｒ2″、Ｒ3″、Ｒ4″、Ｒ9、Ｒ9′およびＲ9″のうち少なくとも一つが、水素以外の意味を有し、置換基Ｒ1、Ｒ2、Ｒ4、Ｒ1′、Ｒ2′、Ｒ4′、Ｒ1″、Ｒ2″、Ｒ4″、Ｒ9、Ｒ9′およびＲ9″がすべて水素であるときは、置換基Ｒ3、Ｒ3′およびＲ3″のうち少なくとも一つが、塩素以外の意味を有することを条件とする配位子。
【請求項５】  過酸化物性洗剤を含む液体に、請求項１記載の式（１）の三脚状配位子を含む１種類またはそれ以上の金属錯体または式（１）の錯化されていない配位子を、洗濯液１リットルあたり０．１〜２００μmol加えることを含む、洗濯もしくは洗浄の方法。
【請求項６】  過酸化物性洗剤を含む洗濯液に、請求項１記載の式（１）の三脚状配位子を有する１種類またはそれ以上の金属錯体を、洗濯液１リットルあたり０．５〜１５０mg加えることを含む、洗濯液中で移染する染料の再沈着を防ぐ方法。
【請求項７】  洗濯用洗剤であって、
（Ｉ）５〜９０％の（Ａ）陰イオン界面活性剤および／または（Ｂ）非イオン界面活性剤、
（II）５〜７０％の（Ｃ）ビルダー、
（III）０．１〜３０％の（Ｄ）過酸化物、および
（IV）０．００５〜２％の（Ｅ）請求項１記載の式（１）の三脚状配位子を有する金属錯体（すべての百分率は、該洗濯用洗剤の総重量に対する重量％である）
を含む洗濯用洗剤。
【請求項８】  機械洗浄法に用いるための硬い表面の洗浄剤であって、請求項１記載の式（１）の三脚状配位子を有する金属錯体を漂白触媒として含む洗浄剤。
【請求項９】  １〜６０重量％の、請求項１記載の式（１）の三脚状配位子を有する金属錯体、
（ａ）０．５〜１５重量％の分散剤、
（ｂ）０〜１０重量％のさらなる成分、および
（ｃ）１５〜９８．５重量％の水
を含む水性懸濁液。
【請求項１０】  （ａ）１〜９９重量％の、請求項１記載の式（１）の三脚状配位子を有する金属錯体、
（ｂ）１〜９９重量％の担体材料、
（ｃ）０〜２０重量％の分散剤、
（ｄ）０〜１０重量％のさらなる成分、および
（ｅ）０〜５重量％の水
を含む固体製品。